(57)【要約】【課題】トップスラブの組立及びその後に行われる熱膨張吸収用及び耐震用の作業に要する労力及び部材の無駄を省く。【解決手段】トップスラブ４の組立時、支保工９の垂直部９ｂの先端とライナー１１との間にスペーサ１３を介在させてトップスラブ４の組立を行う。トップスラブ４の組立が完了した後、スペーサ１３を除去して、該部に所要の雌型シヤラグ１０を設置する。雌型シヤラグ１０に形成された溝１０内に、支保工９の垂直部９ｂを嵌合する。【効果】原子炉格納容器の組立の容易化及び低コスト化を図ることができる。【選択図】図２
2010185787.tif 000002
【特許請求の範囲】
【請求項１】
原子炉格納容器壁の上部に設けられたトップスラブと、原子炉圧力容器を取り囲むガンマ線遮蔽壁とを有し、前記トップスラブと前記ガンマ線遮蔽壁との間にシヤラグを備えてなる原子炉格納容器において、
前記シヤラグを、前記ガンマ線遮蔽壁の上部外側面に設けられ、前記トップスラブの組立時に用いられた支保工と、前記トップスラブに設けられ、前記支保工の先端部を嵌合可能な溝を有する雌型シヤラグとから形成することを特徴とする原子炉格納容器。
【請求項２】
前記雄型シヤラグとして、前記ガンマ線遮蔽壁の上部外側面から斜め上方に張り出された斜構造の支保工を用いたことを特徴とする請求項1に記載の原子炉格納容器。
【請求項３】
前記雄型シヤラグとして、前記ガンマ線遮蔽壁の上面から水平に張り出された水平構造の支保工を用いたことを特徴とする請求項1に記載の原子炉格納容器。
【発明の詳細な説明】
【技術分野】
【０００１】
本発明は、耐震構造のコンクリート製原子炉格納容器に係り、特に、組立性の改善と低コスト化を図る手段に関する。
【背景技術】
【０００２】
原子炉格納容器は、炉心を備えた原子炉圧力容器を収容するものであり、高い耐震性が要求される。また、原子炉圧力容器は、熱膨張によって径方向及び長さ方向に寸法が変化するので、原子炉格納容器には、この熱膨張による原子炉圧力容器の寸法変化を許容しつつ、原子炉圧力容器の振動を抑制する構造を備える必要もある。従来、この種の原子炉格納容器の構造に関しては、以下の（１）〜（３）に記載するものが知られている。
【０００３】
（１）原子炉格納容器内における原子炉圧力容器の周囲に形成されたガンマ線遮蔽壁の上端縁の水平位置を、原子炉格納容器に形成された開口の下端縁の水平位置よりも高い位置に設定し、ガンマ線遮蔽壁の上端縁外周にシアキーが外向き放射状に形成された鋼製リングを取り付けると共に、原子炉格納容器の下端縁内周にキー構造が内向き放射状に形成された鋼製リングを取り付け、キー構造に対してシアキーを摺動可能に嵌合するもの（例えば、特許文献１参照。）。
【０００４】
（２）原子炉圧力容器の上部外周に円盤状のスタビライザを設け、このスタビライザの外縁にフィメイルシヤラグを等間隔に突設すると共に、トップスラブのこれと対応する位置にメイルシヤラグを等間隔に突設し、フィメイルシヤラグにメイルシヤラグを摺動可能に嵌合するもの（例えば、特許文献２参照。）。
【０００５】
（３）原子炉圧力容器の外周を原子炉遮蔽壁で取り囲み、この原子炉遮蔽壁と原子炉格納容器壁との間に鉄骨構造物が設置された原子炉格納容器において、トップスラブと原子炉遮蔽壁との間にシヤラグを設けると共に、原子炉格納容器壁と鉄骨構造物との間にシヤラグを設けるもの（例えば、特許文献３参照。）。
【０００６】
また、原子炉格納容器内において原子炉圧力容器を保持するスタビライザに関しては、原子炉遮蔽壁の上端にリングプレートを取り付け、ばね構造を有する原子炉格納容器スタビライザの一端をリングプレートを介して原子炉遮蔽壁の上端部で水平に支持し、他端を原子力遮蔽壁側と直交するように原子炉格納容器の上部内面で支持するものが知られている（例えば、特許文献４参照。）。
【０００７】
さらに、原子炉格納容器の組立方法に関しては、ガンマ線遮蔽壁の外側に取り付けられた仮設支保工と、原子炉格納容器の円筒部躯体に支持された仮設支保工とをそれぞれ立ち上げ、ビームと補強用鉄筋とからなる構造体をこれら２つの仮設支保工で支持しながらコンクリートを打設してトップスラブを組み立てるというものが知られている（例えば、特許文献５参照。）。
【先行技術文献】
【特許文献】
【０００８】
【特許文献１】特公平６３−２４２７５号公報
【特許文献２】実開昭６４−２１３９７号公報
【特許文献３】特開平７−１５９５８０号公報
【特許文献４】特開２０００−１３１４８３号公報
【特許文献５】特許第３５２９９６２号公報
【発明の概要】
【発明が解決しようとする課題】
【０００９】
特許文献１−３に記載の原子炉格納容器の構造は、いずれも原子炉格納容器の組立が完了した後に、耐震用のシヤラグを新たに取り付けるというものであるので、原子炉格納容器の組立に必要な部材と、耐震用のシヤラグとの双方が必要になり、部品点数が多く、原子炉格納容器の組立工程が複雑になるという問題がある。したがって、これら特許文献１−３に記載の原子炉格納容器の構造は、今のところ実用化されていない。
【００１０】
一方、特許文献５に記載の原子炉格納容器の組立方法は、トップスラブを組立後に仮設支保工を撤去するので、その撤去作業のための工数が必要であるばかりでなく、仮設支保工がトップスラブ組立後に行われるシヤラグの構成に何ら寄与しないので、部材の無駄が多いという問題がある。
【００１１】
本発明は、かかる従来技術の問題を解決するためになされたものであり、その目的は、トップスラブの組立及びその後に行われる耐震用の作業に要する労力及び部材の無駄を省くことにある。
【課題を解決するための手段】
【００１２】
本発明は、かかる課題を解決するため、第１に、原子炉格納容器壁の上部に設けられたトップスラブと、原子炉圧力容器を取り囲むガンマ線遮蔽壁とを有し、前記トップスラブと前記ガンマ線遮蔽壁との間にシヤラグを備えてなる原子炉格納容器において、前記シヤラグを、前記ガンマ線遮蔽壁の上部外側面に設けられ、前記トップスラブの組立時に用いられた支保工と、前記トップスラブに設けられ、前記支保工の先端部を嵌合可能な溝を有する雌型シヤラグとから形成するという構成にした。
【００１３】
トップスラブの組立時に用いられた支保工を、熱膨張による原子炉圧力容器の寸法変化を許容しつつ、原子炉圧力容器の振動を抑制するための雄型シヤラグとして用いると、トップスラブの組立後に支保工を撤去する労力を省略することができる。また、別製の雄型シヤラグをガンマ線遮蔽壁に新たに取り付ける必要がないので、このための労力と部材も省略することができる。
【００１４】
本発明は第２に、前記第１の原子炉格納容器において、前記雄型シヤラグとして、前記ガンマ線遮蔽壁の上部外側面から斜め上方に張り出された斜構造の支保工を用いるという構成にした。
【００１５】
本発明の効果は、仮設支保工の形状やガンマ線遮蔽壁への取付構造によって影響を受けるものではなく、斜構造の支保工を雄型シヤラグとして用いた場合にも、前記第１の原子炉格納容器と同様の作用効果を発揮することができる。
【００１６】
本発明は第２に、前記第１の原子炉格納容器において、前記雄型シヤラグとして、前記ガンマ線遮蔽壁の上面から水平に張り出された水平構造の支保工を用いるという構成にした。
【００１７】
水平構造の支保工を雄型シヤラグとして用いた場合にも、前記第１の原子炉格納容器と同様の作用効果を発揮することができる。
【発明の効果】
【００１８】
本発明によると、トップスラブの組立時に用いられた支保工を、熱膨張による原子炉圧力容器の寸法変化を許容しつつ、原子炉圧力容器の振動を抑制するための雄型シヤラグとして用いるので、トップスラブの組立後に支保工を撤去する労力を省略できると共に、別製の雄型シヤラグをガンマ線遮蔽壁に新たに取り付ける必要がなく、このための労力と部材も省略することができる。よって、耐震性に優れた原子炉格納容器を容易かつ低コストに建設することができる。
【図面の簡単な説明】
【００１９】
【図１】実施形態に係る原子炉格納容器の全体構造を示す縦断面図である。
【図２】第１実施形態に係る原子炉格納容器の要部縦断面図である。
【図３】図１のＡ方向視図である。
【図４】図１のＢ−Ｂ断面図である。
【図５】第１実施形態に係る原子炉格納容器の組立時の要部縦断面図である。
【図６】第２実施形態に係る原子炉格納容器の要部縦断面図である。
【図７】第２実施形態に係る原子炉格納容器の組立時の要部縦断面図である。
【図８】第２実施形態に係る原子炉格納容器の要部縦断面図である。
【図９】第３実施形態に係る原子炉格納容器の組立時の要部縦断面図である。
【発明を実施するための形態】
【００２０】
まず、本発明に係る原子炉格納容器の全体構造を、図１により説明する。この図から明らかなように、本例の原子炉格納容器１は、原子炉圧力容器２を収容するもので、原子炉格納容器壁３と、原子炉格納容器壁３の上部に設けられたトップスラブ４と、原子炉圧力容器２の下部を支持するペデスタル５と、原子炉格納容器壁３とペデスタル５の上部との間に架け渡されたダイヤフラムフロア６と、ダイヤフラムフロア６に形成された原子炉圧力容器４の周囲を取り囲むガンマ線遮蔽壁７と、地震時の原子炉圧力容器２の水平荷重をガンマ線遮蔽壁７に伝達するスタビライザ８と、ガンマ線遮蔽壁７の上部外周に設けられた支保工９と、トップスラブ４の下面に設けられた雌型シヤラグ１０とから主に構成されており、支保工９は、その先端部が雌型シヤラグ１０に摺動可能に嵌合されて、熱膨張による原子炉圧力容器２の寸法変化を許容しつつ、原子炉圧力容器２の振動を抑制する雄型シヤラグとして機能する。なお、原子炉格納容器壁３、トップスラブ４、ペデスタル５及びダイヤフラムフロア６は、コンクリートによって形成され、ガンマ線遮蔽壁７は、内部にコンクリートが打設された容器状の金属構造物からなる。
【００２１】
トップスラブ４の組立は、ガンマ線遮蔽壁７から支保工９を立ち上げ、この支保工９にて原子炉格納容器壁３から張設されたライナー１１（図２、図３、図５−図９参照）を支持し、このライナー上にコンクリートを打設するという方法で行われる（詳細については、特許文献５参照。）。
【００２２】
以下、実施形態に係る原子炉格納容器について、各実施例毎に説明する。
【実施例１】
【００２３】
本例の原子炉格納容器は、図２−図５に示すように、雄型シヤラグとして、ガンマ線遮蔽壁７の上部外周から水平に張り出された水平部９ａと、この水平部９ａの先端部から上向きに起立された垂直部９ｂとからなる支保工９を用いたことを特徴とする。なお、支保工９の水平部９ａは、図４に示すように、ガンマ線遮蔽壁７の内部に設けられたリブ７ａの設定部に取り付けられる。かかる構成にすると、支保工９の取り付けに特別な補強を施す必要がないので、原子炉格納容器の構成を簡略化することができる。
【００２４】
雌型シヤラグ１０は、図３に示すように、下面中央部にその前端から後端まで貫通する溝１２が形成されており、溝１２をガンマ線遮蔽壁７の径方向に向けて、トップスラブ４の下面に取り付けられる。支保工９の垂直部９ｂは、その両側面が溝１２の両側面に接し、かつ、その上端と溝１２の底面との間には所要のクリアランスを設けるようにして、雌型シヤラグ１０の溝１２内に挿入される。したがって、原子炉圧力容器２が熱膨張したときには、支保工９の垂直部９ｂが溝１２の両側面に沿って溝１２の長さ方向及び深さ方向に移動し、原子炉圧力容器２の熱膨張が吸収される。また、地震発生時には、垂直部９ｂの両側面が溝１０の両側面に接しているので、原子炉圧力容器２の振動が、スタビライザ８、ガンマ線遮蔽壁７、支保工９及び雌型シヤラグ１０を介してトップスラブ４に伝達され、原子炉圧力容器２の振動が抑制される。
【００２５】
本例の原子炉格納容器は、トップスラブ４の組立時、図５に示すように、支保工９の垂直部９ｂの先端とライナー１１との間にスペーサ１３を介在させてトップスラブ４の組立を行い、トップスラブ４の組立が完了した後にスペーサ１３を除去し、該部に所要の雌型シヤラグ１０を設置するという方法で組み立てることができる。
【００２６】
本例の原子炉格納容器は、トップスラブ４の組立時に用いられた支保工９を雄型シヤラグとして用いるので、トップスラブ４の組立後に支保工９を撤去する労力を省略できると共に、別製の雄型シヤラグをガンマ線遮蔽壁に新たに取り付ける必要がないので、このための労力と部材も省略することができる。よって、耐震性に優れた原子炉格納容器を容易かつ低コストに建設することができる。
【実施例２】
【００２７】
本例の原子炉格納容器は、図６及び図７に示すように、雄型シヤラグとして、ガンマ線遮蔽壁７の上部外周から斜め上向きに張り出された斜構造の支保工９を用いたことを特徴とする。その他については、実施例１に係る原子炉格納容器と同じであるので、対応する部分に同一の符号を付して説明を省略する。本例の原子炉格納容器も、トップスラブ４の組立時、図７に示すように、支保工９の先端とライナー１１との間にスペーサ１３を介在させてトップスラブ４の組立を行い、トップスラブ４の組立が完了した後にスペーサ１３を除去し、該部に所要の雌型シヤラグ１０を設置するという方法で組み立てられる。本例の原子炉格納容器も、実施例１に係る原子炉格納容器と同様の効果を有する。
【実施例３】
【００２８】
本例の原子炉格納容器は、図８及び図９に示すように、雄型シヤラグとして、ガンマ線遮蔽壁７の上端から水平に張り出された水平構造の支保工９を用いたことを特徴とする。その他については、実施例１に係る原子炉格納容器と同じであるので、対応する部分に同一の符号を付して説明を省略する。本例の原子炉格納容器も、トップスラブ４の組立時、図９に示すように、支保工９の先端とライナー１１との間にスペーサ１３を介在させてトップスラブ４の組立を行い、トップスラブ４の組立が完了した後にスペーサ１３を除去し、該部に所要の雌型シヤラグ１０を設置するという方法で組み立てられる。本例の原子炉格納容器も、実施例１に係る原子炉格納容器と同様の効果を有する。
【産業上の利用可能性】
【００２９】
本発明は、原子炉圧力容器を収容する原子炉格納容器の組立に適用できる。
【符号の説明】
【００３０】
１    原子炉格納容器
２    原子炉圧力容器
３    原子炉格納容器壁
４    トップスラブ
５    ペデスタイル
６    ダイヤフラムフロア
７    ガンマ線遮蔽壁
７ａ    リブ
８    スタビライザ
９    支保工
９ａ    水平部
９ｂ    垂直部
１０    雌型シヤラグ
１１    ライナー
１２    溝
１３    スペーサ
【図１】
2010185787.tif 000003
【図２】
2010185787.tif 000004
【図３】
2010185787.tif 000005
【図４】
2010185787.tif 000006
【図５】
2010185787.tif 000007
【図６】
2010185787.tif 000008
【図７】
2010185787.tif 000009
【図８】
2010185787.tif 000010
【図９】
2010185787.tif 000011